(57)【要約】【課題】屋根上作業用安全装置を取付ける支柱取付金具は、鋼材を用いた家屋専用であったので使用者が限定されるものであった。よって、木造家屋の棟木に取付けられる金具を開発し、木造家屋建築時の安全対策装置の普及と共に、墜落災害を防止するものである。【解決手段】棟木の棟中央部分に、上部側フレーム２と下部側フレーム３を当てがい対向位置四隅に設けた長尺ボルト５とナット５１により固定する把持部６と、その上部側フレーム２の中央に孔７を設け、その孔７裏側にナット８を溶着固定した支柱取付部９を備えた棟木取付金具１に、上部にベルト巻取式命綱Ｂの嵌合部を備え、下部に支柱取付部９の孔７・ナット８に嵌入するボルト等の嵌入部を設けた支柱Ｃを立設した構造である。【選択図】        図１
2004183203.tif 000002
【特許請求の範囲】
【請求項１】
上部側フレームと下部側フレームを対向して配置し、両フレームの対向位置四隅に穿孔して長尺ボルトで貫通し、棟木を挟んで把持する把持部と、上部側フレーム中央に穿孔し、孔裏側にナットを溶着固定した支柱取付部を備えた棟木取付金具に、上部にベルト巻取式命綱の嵌合部を備え、下部に支柱取付部の孔に嵌合する嵌入部を設けた支柱を立設したことを特徴とする屋根上作業用安全装置。
【発明の詳細な説明】
【０００１】
【発明の属する技術分野】
本願は、低層家屋組立において、作業者の墜落災害を防止するために用いる屋根上作業用安全装置を取付ける取付金具に関するものである。
【０００２】
【従来の技術】
最近、低層家屋の屋根面に屋根板やルーフィングを敷く時、また瓦を葺く時等の屋根上作業時には、屋根上安全装置（特開２００１−２４８２７７）により作業を行っている。
【０００３】
上記の屋根上安全装置は、鋼材を用いた家屋の棟部鋼材に、特殊な支柱取付金具を予め工場、現場で取付け、組立てるものであり、その支柱取付金具に屋根上安全装置を取付けて作業するものである。よって、屋根上作業時の作業者の墜落災害を防止するものである。また、屋根上の保守点検・リフォーム時にも使用でき、作業の能率向上に貢献している。
【０００４】
【発明が解決しようとする課題】
前記した屋根上安全装置は、鋼材を用いた建築物に対応した専用の支柱取付金具に取付けられるものであったため、使用範囲が限定されるものであった。
よって、木造家屋の建築時にも取付け使用できるように、木造家屋の木製の棟木に取付可能な取付金具を開発し、前記屋根上安全装置の普及を推進するものである。
【０００５】
【課題を解決するための手段】
本発明は、上部側フレームと下部側フレームを棟木に当てがい四隅に配置する長尺ボルトにより締め付け固定するものである。木造家屋の棟木が地上にある時に、取付けておくものであり、その取付金具中央に、屋根上安全装置の支柱を立設し、その支柱先端に設けたベルト巻取式命綱を用いて、屋根上作業の安全対策とするものである。
なお、長尺ボルトは、棟木とほとんど隙間のない位置に取付け、万が一、落下した時に外れて取付金具が横向きとならないようにしたものである。
【０００６】
【実施例】
本発明の実施例を詳記する。
棟木取付金具１は、上部側フレーム２と下部側フレーム３を対向して配置し、両フレーム２，３の四隅に穿孔４して長尺ボルト５を貫通し、棟木Ｍを挟んで把持する把持部６と、上部側フレーム２中央に穿孔７し、孔裏側にナット８を溶着固定した支柱取付部９を備えた棟木取付金具に、上部にベルト巻取式命綱の嵌合部を備え、下部に支柱取付部の孔に嵌合する嵌入部を設けた支柱を立設した構造を有している。
【０００７】
上部側フレーム２の形状は、アングル材を対向して配し、コ字状に折曲した金具で、橋絡連結したものである。
下部側フレーム３は、同じくアングル材を対向配置し、フラットバー３１で橋絡連結したものである。
前記両フレームの対向位置四隅に孔４を明け、その孔４に長尺ボルト５を貫通し、ナット５１により締着固定するものである。
【０００８】
本発明の屋根上作業用安全装置の棟木取付金具１に取付ける支柱Ｃの構造を簡単に説明する。
第一実施例の支柱Ｃは、長尺の鉄パイプ製であり、図３に示すように、下部先端は棟木取付金具１のナット８に容易に螺入可能なボルトＣ１を設けている。
ボルトＣ１は、ボルトケースを介して下部穴に挿通され、上部頭はバネで押さえられている。これは、ボルトを底板に溶着した場合に、どうしてもボルトが傾斜してしまい、取付金具に立設した時の見栄えが悪くなることを防止したものである。また、バネを設けたことによりボルトの自重だけでは、螺合しにくい欠点を防止すると共に、設置する時に、柱等に当てたり、落下した場合に、緩衝してボルトの変形や柱に大きな傷を付けないようにしたものである。ボルトケースは、パイプ側面に穴をあけ、この部分を溶接機により溶着するものである。
上部側は、一部２重パイプになっており、ベルト巻取式命綱Ｂを二個上下に嵌脱自在に設けたものであるが、上部鍔上を長くして、三個あるいは四個設けることができる。なお、ベルト巻取式命綱Ｂは、支柱の周りを３６０度回動自在となるものである。
【０００９】
第二実施例の支柱Ｃは、上部側は第一実施例と同じであるが、下部先端を図４に示すように、支柱取付部９の孔に嵌合する棒状の嵌入部を設け、支柱Ｃを支柱取付部９に溶着固定するものである。
【００１０】
本発明の屋根上作業用安全装置のベルト巻取式命綱Ｂの構造を簡単に説明する。
ベルト巻取式命綱Ｂは、合成繊維製の細幅織りベルトＢ１をボビンに巻き取ったものであり、ボビンに巻取りバネを配して、絶えずベルトに巻取り力を附勢したものである。さらにボビンには、爪が取付けられており急激にベルトを引き出すとボビンが急回転し、遠心力によって爪が開いてカバーに設けたストッパーと当接して、ボビンの回転を阻止し、それ以上のベルトＢ１の繰出しを阻止するものである。よって、滑落距離も短く作業者に与える衝撃荷重も小さいものである。
また、ベルト巻取式命綱Ｂは、ベルトを絶えず巻取る方向にバネを付勢しているので、余分なベルトが垂れ下がること無く、また屋根面より所定間隔を置いて支柱に取付けられているので屋根上に置いたルーフィングや瓦に引っ掛けることが無いものである。
【００１１】
本発明の屋根上作業用安全装置の取付手順を説明する。
図５は、本発明の棟木取付金具１に屋根上作業用安全装置を取付けた状態の斜視図であるが、先ず、棟木取付金具１は、棟木Ｍが地上に置いてある時点で、上部側フレーム２と下部側フレーム３を対向して配置し、両フレーム２，３の四隅に穿孔した孔４に長尺ボルト５を貫通し、棟木Ｍを挟んでナット５１により強固に取付ける。
この時、第一実施例の支柱の場合は、作業の進捗状況に応じて予め屋根上作業用安全装置を取付けておいてもよいし、支柱Ｃのみ取付けておいてもよく、適時状況に応じて取付けることができる。
また、第二実施例の支柱の場合は、あらかじめ上側に立設状態にあるため、棟木を吊上げる場合に上側が容易に確認できる。
【００１２】
本発明の屋根上安全装置の使用方法は、図６に示すように、ベルト巻取式命綱Ｂの細幅織りベルトＢ１先端の掛止フックＢ２を作業者の安全帯のリングに掛止するだけで良く、屋根板の取付から瓦を葺き終わるまで、屋根上作業全般にわたり使用することができる。
また、建て替え時に、旧家屋の解体時に使用し、作業者の安全を確保することもできる。
【００１３】
【発明の効果】
本発明の屋根上作業用安全装置によって、初めの安全装置取付に際しては、棟木が地上で組み上げ待機中に取付けるものであるから安全である。
また、棟木取付金具１は、棟木を確実に把持すると共に、屋根上作業用安全装置の支柱Ｃを容易，確実に取付けることができる。よって、木造家屋の建築に際しての安全対策装置の普及が図れる。
また、屋根上作業用安全装置取付後の高所作業は、複数人数での作業が、他の作業者の行動に制約されることなく可能となり、安全性、作業性が向上する。
また、一人の作業者が転落、滑落したことによって、他の作業者もその余波を受けるといったこともなく、安全に作業が可能となるという従来の効果も同等に得られるものである。
【図面の簡単な説明】
【図１】本発明の棟木取付金具の斜視図。
【図２】本発明の棟木取付金具の正面図。
【図３】本発明の棟木取付金具に取付ける第一実施例の支柱下部の一部断面図。
【図４】本発明の棟木取付金具に取付ける第二実施例の支柱下部の一部断面図。
【図５】本発明の棟木取付金具に屋根上安全装置を取付けた状態の斜視図。
【図６】本発明の棟木取付金具に屋根上安全装置を取付けた使用状態図。
【符号の説明】
１  棟木取付金具
２  上部側フレーム
３  下部側フレーム
４  孔
５  長尺ボルト
６  把持部
７  孔
８  ナット
９  支柱取付部
Ｂ    ベルト巻取式命綱
Ｂ１  細幅織りベルト
Ｂ２  掛止フック
Ｃ    支柱
Ｃ１  ボルト
Ｍ    棟木
【図１】
2004183203.tif 000003
【図２】
2004183203.tif 000004
【図３】
2004183203.tif 000005
【図４】
2004183203.tif 000006
【図５】
2004183203.tif 000007
【図６】
2004183203.tif 000008